(57)【特許請求の範囲】
【請求項１】
かごに設けられ、前記かご内を照明するエレベータかご内照明装置であって、
基板および前記基板に実装されるＬＥＤを有した複数のＬＥＤユニットと、
前記かごに取り付けられ、各前記基板を保持する複数の保持部材とを備え、
前記複数のＬＥＤユニットは、多角形状に並べて配置され、
各前記保持部材は、回動軸と、前記回動軸を中心に回動可能に設けられ、前記基板を保持する保持部本体とを有し、各前記保持部本体が前記回動軸を中心に回動することにより、各前記ＬＥＤユニットから放たれる光が拡散して前記かごの床に当たるように各前記基板を水平面に対して別々に傾斜させることを特徴とするエレベータかご内照明装置。
【請求項２】
前記保持部材は、前記保持部本体が前記回動軸を中心に回動することにより、水平面に対する前記基板の傾斜角度が変更可能であることを特徴とする請求項１に記載のエレベータかご内照明装置。
【請求項３】
各前記ＬＥＤユニットは、同一円周上であって、周方向に等間隔に並べられていることを特徴とする請求項１または請求項２に記載のエレベータかご内照明装置。
【請求項４】
基板および前記基板に実装されるＬＥＤを有し多角形状に並べて配置された複数のＬＥＤユニットと、回動軸および前記回動軸を中心に回動可能に設けられ前記基板を保持する保持部本体を有しかごに取り付けられる複数の保持部材とを用いて、前記かご内を照明するエレベータかご内照明方法であって、
各前記保持部本体が前記回動軸を中心に回動することにより、複数の前記ＬＥＤユニットのそれぞれから放たれる光が拡散して前記かごの床に当たるように各前記基板を水平面に対して別々に傾斜させる基板傾斜工程を備えたことを特徴とするエレベータかご内照明方法。
【発明の詳細な説明】
【技術分野】
【０００１】
この発明は、エレベータのかご内を照明するエレベータかご内照明装置およびエレベータかご内照明方法に関する。
【背景技術】
【０００２】
従来、リング形状の１枚の基板と、基板に実装された複数のＬＥＤとを備えたエレベータかご内照明装置が知られている。複数のＬＥＤは、基板の形状に合わせて、円を描くように並べて配置されている（例えば、特許文献１参照）。
【先行技術文献】
【特許文献】
【０００３】
【特許文献１】特開２００２−３６７４０６号公報
【発明の概要】
【発明が解決しようとする課題】
【０００４】
しかしながら、ＬＥＤから放たれる光は、通常、照射角度が約１２０°程度である。したがって、従来のエレベータかご内照明装置をエレベータのかごの上部に設けて、かご内を照明する場合には、かごの床には、光が多く当たる部分と、光があまり当たらない部分とが発生する。つまり、かごの床には、光むらが発生してしまうという問題点があった。
【０００５】
この発明は、かごの床に発生する光むらを低減させることができるエレベータかご内照明装置およびエレベータかご内照明方法を提供するものである。
【課題を解決するための手段】
【０００６】
この発明に係るエレベータかご内照明装置は、かごに設けられ、前記かご内を照明するエレベータかご内照明装置であって、基板および前記基板に実装されるＬＥＤを有した複数のＬＥＤユニットと、前記かごに取り付けられ、各前記基板を保持する複数の保持部材とを備え、前記複数のＬＥＤユニットは、多角形状に並べて配置され、各前記保持部材は、回動軸と、前記回動軸を中心に回動可能に設けられ、前記基板を保持する保持部本体とを有し、各前記保持部本体が前記回動軸を中心に回動することにより、各前記ＬＥＤユニットから放たれる光が拡散して前記かごの床に当たるように各前記基板を水平面に対して別々に傾斜させる。
【０００７】
この発明に係るエレベータかご内照明方法は、基板および前記基板に実装されるＬＥＤを有し多角形状に並べて配置された複数のＬＥＤユニットと、回動軸および前記回動軸を中心に回動可能に設けられ前記基板を保持する保持部本体を有しかごに取り付けられる複数の保持部材とを用いて、前記かご内を照明するエレベータかご内照明方法であって、各前記保持部本体が前記回動軸を中心に回動することにより、複数の前記ＬＥＤユニットのそれぞれから放たれる光が拡散して前記かごの床に当たるように各前記基板を水平面に対して別々に傾斜させる基板傾斜工程を備えている。
【発明の効果】
【０００８】
この発明に係るエレベータかご内照明装置によれば、基板および基板に実装されるＬＥＤを有した複数のＬＥＤユニットと、かごに取り付けられ、各基板を保持する保持装置とを備え、複数のＬＥＤユニットは、多角形状に並べて配置され、保持装置は、各ＬＥＤユニットから放たれる光が拡散してかごの床に当たるように基板を水平面に対して傾斜させるので、各ＬＥＤユニットから放たれる光がかごの床の一部に集中して当たることを低減させることができる。その結果、かごの床に発生する光むらを低減させることができる。
【０００９】
この発明に係るエレベータかご内照明方法によれば、基板および基板に実装されるＬＥＤを有し多角形状に並べて配置された複数のＬＥＤユニットのそれぞれから放たれる光が拡散してかごの床に当たるように基板を水平面に対して傾斜させる基板傾斜工程を備えているので、各ＬＥＤユニットから放たれる光がかごの床の一部に集中して当たることを低減させることができる。その結果、かごの床に発生する光むらを低減させることができる。
【図面の簡単な説明】
【００１０】
【図１】この発明の実施の形態１に係るエレベータを示す正面図である。
【図２】図１の照明装置を下方から視た示す下面図である。
【図３】図２のＩＩＩ−ＩＩＩ線に沿った矢視断面図である。
【図４】図２の照明装置の配光特性を示す図である。
【発明を実施するための形態】
【００１１】
実施の形態１．
図１はこの発明の実施の形態１に係るエレベータを示す正面図である。図において、エレベータは、かご１と、かご１の上部に設けられた照明装置（エレベータかご内照明装置）２とを備えている。かご１は、床１１と、床１１に対して立てられた側壁１２と、側壁１２の上部に設けられた天井１３とを有している。照明装置２は、天井１３に取り付けられている。この例では、照明装置２が天井１３の下面よりも下方に配置されている。なお、照明装置２は、天井１３の下面よりも上方に配置されてもよい。
【００１２】
図２は図１の照明装置２を下方から視た示す下面図、図３は図２のＩＩＩ−ＩＩＩ線に沿った矢視断面図である。図において、照明装置２は、リング形状に形成されたアルミニウム製のベース板２１と、ベース板２１に取り付けられる６個の保持部材２２と、各保持部材２２に１個ずつ保持される６個のＬＥＤユニット２３と、各保持部材２２に１個ずつ取り付けられる６個のアクリルカバー２４とを備えている。なお、図２では、ベース板２１およびＬＥＤユニット２３を見易くするために、アクリルカバー２４を省略している。
【００１３】
ベース板２１は、保持金具（図示せず）を用いて天井１３（図１）の下面に取り付けられている。つまり、保持部材２２は、ベース板２１および保持金具を介して、かごに取り付けられている。
【００１４】
各保持部材２２および各ＬＥＤユニット２３は、重力方向に延びた直線である鉛直線を中心に、同一円周上であって、周方向に等間隔に並べて配置されている。各６個の保持部材２２およびＬＥＤユニット２３は、六角形状に並べて配置されている。つまり、各６個の保持部材２２およびＬＥＤユニット２３は、各保持部材２２およびＬＥＤユニット２３が六角形の各辺を構成するように配置されている。
【００１５】
各保持部材２２は、ベース板２１に固定された軸受部２２１と、水平方向に延びて軸受部２２１に嵌合された回動軸２２２と、ＬＥＤユニット２３を保持し回動軸２２２を中心に回動する保持部本体２２３とを有している。保持部本体２２３は、回動軸２２２に固定され回動軸２２２の径方向に延びた支持棒２２４と、支持棒２２４に固定されＬＥＤユニット２３を保持する取付金具２２５とを有している。軸受部２２１、回動軸２２２および支持棒２２４は、硬質プラスチックから構成されている。軸受部２２１は、回動軸２２２よりも僅かに小さな径の受部で回動軸２２と嵌合されており、軸受部２２１と回動軸２２２との間には、保持部本体２２３およびＬＥＤユニット２３の自重により発生する回動軸２２２を中心とした保持部本体２２３の回動を抑制する摩擦力が発生するようになっている。つまり、作業者が保持部本体２２３に対して回動する力を加えることにより、保持部本体２２３は回動軸２２２を中心に回動し、作業者による力が取り除かれることにより、回動軸２２２に対して保持部本体２２３が固定される。なお、保持部本体２２３が、回動軸２２２に対する位置を固定する固定部材（図示せず）を有してもよい。つまり、回動軸２２２を中心に保持部本体２２３が適切な位置に回動した後、固定部材により回動軸２２２に対する保持部本体２２３の位置が固定されるようにしてもよい。
【００１６】
各ＬＥＤユニット２３は、平面視長方形形状の基板２３１と、基板２３１に実装される３個のＬＥＤ２３２とを有している。各ＬＥＤ２３２は、基板２３１の長手方向に並べて配置されている。各ＬＥＤユニット２３は、６個のＬＥＤユニット２３が構成する六角形の各辺に沿って基板２３１が延びるように配置されている。各ＬＥＤユニット２３は、保持部本体２２３に保持されており、保持部本体２２３の回動にともなって、回動軸２２２を中心に回動する。６個のＬＥＤユニット２３は、回動軸２２２を中心に回動されて、各ＬＥＤユニット２３から放たれる光が拡散してかご１の床１１（図１）に当たるように各基板２３１が水平面に対して傾斜して配置されている（基板傾斜工程）。具体的には、ＬＥＤ２３２が実装された基板２３１の面は、ベース板２１の径方向について内側に位置する基板２３１の部分が外側に位置する基板２３１の部分よりもベース板２１から離れるように水平面に対して傾斜している。なお、この例では、全ての基板２３１が水平面に対して傾斜して配置されているが、一部の基板２３１のみが水平面に対して傾斜して配置されてもよい。また、ＬＥＤ２３２が実装された基板２３１の面を、ベース板２１の径方向について内側に位置する基板２３１の部分が外側に位置する基板２３１の部分よりもベース板２１に近づくように水平面に対して傾斜させてもよい。この場合、対向する位置にある一対のＬＥＤユニット２３から放たれる光が、交差し、さらに、拡散して、かご１の床１１に当たる。
【００１７】
各アクリルカバー２４は、ベース板２１とともに各保持部材２２および各ＬＥＤユニット２３を覆っている。各アクリルカバー２４は、透明の材料から構成されている。
【００１８】
図４は図２の照明装置２の配光特性を示す図である。図４では、床１１（図１）から高さが２．５ｍの位置に配置された天井１３（図１）の中央部分に照明装置２を配置した場合の照明装置２の配光特性を示している。縦軸は床１１における照度を示している。横軸は床１１の中央部分からの距離を示しており、床１１の中央部分を横軸の中心としている。また、図４では、照明装置２の配光特性と比較するために、基板２３１を水平にした場合の照明装置２の配光特性と、照明装置２の換わりに蛍光管を用いた場合の照明装置の配光特性とを合わせて表示している。図において、Ａは蛍光管を用いた照明装置の配光特性、Ｂは基板２３１を水平にした場合の照明装置２の配光特性、Ｃは基板２３１を水平面に対して傾斜させた場合の照明装置２の配光特性である。蛍光管を用いた照明装置の場合には、床１１の中央部分と床１１の端部分との間での照度の差は、ほとんどない。つまり、蛍光管を用いた照明装置の場合には、床１１には光むらが発生しない。基板２３１を水平にした場合には、ＬＥＤ２３２から放たれる光が拡散されずに、床１１の中央部分にあたる。つまり、床１１の中央部分に光が多く当たり、床１１の端部分には光があまり当たらない。その結果、床１１には光むらが発生する。基板２３１を傾斜させた場合には、床１１の中央部分の照度と床１１の端部分の照度との差が、基板２３１を水平にした場合と比較して、低減されている。つまり、床１１に発生する光むらが低減されている。
【００１９】
以上説明したように、この発明の実施の形態１に係る照明装置２によれば、基板２３１および基板２３１に実装されるＬＥＤ２３２を有した６個のＬＥＤユニット２３と、かご１に取り付けられ、各基板２３１を保持する保持部材２２とを備え、６個のＬＥＤユニット２３は、六角形状に並べて配置され、保持部材２２は、各ＬＥＤユニット２３から放たれる光が拡散してかご１の床１１に当たるように基板２３１を水平面に対して傾斜させるので、ＬＥＤユニット２３から放たれる光がかご１の床１１の一部に集中して当たることを低減させることができる。その結果、かご１の床１１に発生する光むらを低減させることができる。また、リング形状に形成される従来の基板と比較して、基板２３１が平面視四角形状に形成されるので、基板２３１の製造の歩留まりを向上させることができる。また、リング形状に形成された基板の形状に合わせて円を描くようにＬＥＤが基板に実装される従来の照明装置と比較して、平面視四角形状に形成された基板２３１に直線上にＬＥＤ２３２が実装されるので、ＬＥＤ２３２の実装を容易にすることができる。その結果、ＬＥＤ２３２の基板２３１への実装を自動化することができる。
【００２０】
また、保持部材２２は、回動軸２２２と、回動軸２２２を中心に回動可能に設けられ基板２３１を保持する保持部本体２２３とを有し、保持部本体２２３が回動軸２２２を中心に回動することにより、水平面に対する基板２３１の傾斜角度が変更可能であるので、照明装置２をかご１に取り付ける際に、かご１の形状に合わせて、基板２３１の水平面に対する傾斜角度を調節することができる。これにより、かご１の形状に合わせて、基板２３１の水平面に対する傾斜角度を最適な角度にすることができる。
【００２１】
また、各ＬＥＤユニット２３は、同一円周上であって、周方向に等間隔に並べられているので、照明装置２から放たれる光の周方向についてのばらつきを低減させることができる。これにより、照明装置２の直下に位置する床１１の部分を中心とする周方向についての光むらの発生を防止することができる。その結果、床１１に発生する光むらをより低減させることができる。
【００２２】
この発明に係るエレベータかご内照明方法によれば、基板２３１および基板２３１に実装されるＬＥＤ２３２を有し六角形状に並べて配置された６個のＬＥＤユニット２３のそれぞれから放たれる光が拡散してかご１の床１１に当たるように基板２３１を水平面に対して傾斜させる基板傾斜工程を備えているので、ＬＥＤユニット２３から放たれる光が、側壁１２からの反射も加わり、かご１の床１１の一部に集中して当たることを低減させることができる。その結果、かご１の床１１に発生する光むらを低減させることができる。
【００２３】
なお、上記実施の形態１では、保持部本体２２３がＬＥＤユニット２３を保持した状態で、回動軸２２２を中心に回動して、基板２３１が水平面に対して傾斜する構成について説明したが、保持部本体２２３は、回動軸２２２を有さず、ベース板２１に対して固定され、水平面に対して傾斜する基板２３１を保持する構成であってもよい。
【００２４】
また、上記実施の形態１では、ＬＥＤ２３２から放たれる光が拡散してかご１の床１１（図１）に当たるように各基板２３１が水平面に対して傾斜して配置されている構成について説明したが、必要に応じて、ＬＥＤ２３２から放たれる光が集中してかご１の床１１に当たるように一部の基板２３１が水平面に対して傾斜して配置される構成であってもよい。
【００２５】
また、上記実施の形態１では、６個の保持部材２２およびＬＥＤユニット２３が六角形の各辺を構成するように配置された照明装置２について説明したが、例えば、８個の保持部材２２およびＬＥＤユニット２３が八角形の各辺を構成するように、複数個の保持部材２２およびＬＥＤユニット２３が、その数に応じて決められる多角形の各辺を構成するように配置された照明装置２であってもよい。
【００２６】
また、上記実施の形態１では、各ＬＥＤユニット２３が、同一円周上であって、周方向に等間隔に並べられる構成について説明したが、これに限らず、ＬＥＤ２３２から放たれる光が拡散してかご１の床１１に当たるように基板２３１が水平面に対して傾斜して配置されていればよい。
【００２７】
また、上記実施の形態１では、かご１の天井１３に１つの照明装置２が設けられた構成について説明したが、天井１３に複数の照明装置２が設けられた構成であってもよい。この場合、隣り合う照明装置２から放たれる光が互いに重なり合うので、床１１に発生する光むらをより低減させることができる。
【００２８】
また、上記実施の形態１では、かご１の天井１３に新規に取り付けられる照明装置２について説明したが、かご１の天井１３に既設の蛍光灯照明装置を天井１３から取り外して、蛍光灯照明装置が取り付けられていた天井１３の部分に取り付けられる照明装置２であってもよい。
【符号の説明】
【００２９】
１  かご、２  照明装置（エレベータかご内照明装置）、１１  床、１２  側壁、１３  天井、２１  ベース板、２２  保持部材、２３  ＬＥＤユニット、２４  アクリルカバー、２２１  軸受部、２２２  回動軸、２２３  保持部本体、２２４  支持棒、２２５  取付金具、２３１  基板、２３２  ＬＥＤ。
【図１】
0005783857.tif 000002
【図２】
0005783857.tif 000003
【図３】
0005783857.tif 000004
【図４】
0005783857.tif 000005